(57)【要約】      （修正有）【課題】小型かつ軽量で簡単に取り外しができないスナップ錠を提供する。【解決手段】錠部を内部に有する受け金具１とダボ１１を有する止め金具２とからなり、前記受け金具の錠部は止め金具のダボに係止されるリングばね４と、該リングばねを止め金具のダボに係止した状態にするストッパー３と、該ストッパーを付勢して施錠状態に保持するばねとを有し、前記ストッパーは磁性材料から形成されており、ストッパーを磁石鍵の磁力でばね５の付勢に抗して動かしリングばねとダボとの前記係止を解放させることによって、受け金具と止め金具とが解錠状態となり取り外しできることを特徴とするスナップ錠。【選択図】図４
2011234743.tif 000002
【特許請求の範囲】
【請求項１】
錠部を内部に有する受け金具とダボを有する止め金具とからなり、前記受け金具の錠部は止め金具のダボに係止されるリングばねと、該リングばねを止め金具のダボに係止した状態にするストッパーと、該ストッパーを付勢して施錠状態に保持するばねとを有し、前記ストッパーは磁性材料から形成されており、ストッパーを磁石鍵の磁力でばねの付勢に抗して動かしリングばねとダボとの前記係止を解放させることによって、受け金具と止め金具とが解錠状態となり取り外しできることを特徴とするスナップ錠。
【請求項２】
前記リングばねは、受け金具の下ケースの先端とストッパーの先端で保持される請求項１に記載のスナップ錠。
【請求項３】
介護用ねまき、介護用手袋、かばんまたはコンテナの止め具である請求項１または２に記載のスナップ錠。
【発明の詳細な説明】
【技術分野】
【０００１】
本発明は、簡単に取り外しができないスナップ錠に関し、特に磁石鍵により解錠できる係止機構付きスナップ錠に関する。
【背景技術】
【０００２】
一般に痴呆症患者には、不潔行為を未然に防ぐために、ロック付き止め具を備えたねまきや手袋が着用されることがある。これらのロック付き止め具の一つとして、例えば、受け金具の内部に止め金具に係合する係止部材と該係止部材を止め金具のダボに係合した状態で係止するストッパーとを設け、該ストッパーを磁性材料から形成して磁石の磁力で前記係止を開放することにより係止部材を可動にして、受け金具と止め金具とを外す止め具が知られている（特許文献１参照）。
【０００３】
この止め具は、受け金具の係止部材を止め金具のダボに係合した状態で係止するストッパーを磁石鍵で解放させない限り、受け金具と止め金具とを解錠して外すことができない止め具でありロック機能を有している。
【先行技術文献】
【特許文献】
【０００４】
【特許文献１】特開２００６−１３６５５７号公報
【発明の概要】
【発明が解決しようとする課題】
【０００５】
上記止め具は、重要な構成部品である係止部材がステンレスのばね材で作られており、係止部材の位置を制御するためのガイド、ばね性を得るための分割された複数の羽根部、ダボの径に整合できる形状などが必要であり、プレス加工によって作られるが、このような形状の複雑さから非常に困難な製造工程を要した。また、形状が複雑でかつばね性と精度が要求されるため、おのずから大きさも制約され大きくならざるを得なかった。さらにばねとしての性能が要求されることから、材料の厚さやばね性が制限され材料の選択も制約された。そのため、止め具のコスト削減および小型化を得ることが困難という問題を有している。
【０００６】
本発明は、このような課題を解消することを目的とし、係止部材の変更および構成部品の削減などによってコストの削減、小型化が可能な係止機構付きスナップ錠を提供する。
【課題を解決するための手段】
【０００７】
本発明は、錠部を内部に有する受け金具とダボを有する止め金具とからなり、前記受け金具の錠部は止め金具のダボに係止されるリングばねと、該リングばねを止め金具のダボに係止した状態に保持するストッパーと、該ストッパーを付勢して施錠状態にするばねとを有し、前記ストッパーは磁性材料から形成されており、ストッパーを磁石鍵の磁力でばねの付勢に抗して動かしリングばねとダボとの前記係止を解放させることによって、受け金具と止め金具とが解錠状態となり取り外しできることを特徴とするスナップ錠を提供する。
【発明の効果】
【０００８】
本発明によれば、受け金具の錠部の係止部材に線ばねを丸めたリングばねを採用し、止め金具のダボに係止されたリングばねをストッパーで保持して施錠し、該ストッパーを磁石鍵で動かすことによってリングばねとダボとの係止を開放し解錠させるので、構成部品の削減と簡単構造によってコストの削減と小型化が得られる。
【０００９】
また、係止部材がリングばねであるため、製造上の精度が緩和されるとともに簡単構造によって耐久性の向上が図れる。
【図面の簡単な説明】
【００１０】
【図１】本発明に係わる好ましいスナップ錠の受け金具の断面図。
【図２】本発明に係わる好ましいスナップ錠の止め金具の一部を断面で示す説明図。
【図３】図１の受け金具のリングばねの平面図。
【図４】本発明のスナップ錠の施錠状態の一例を示す説明図。
【発明を実施するための形態】
【００１１】
本発明の好ましい実施形態のスナップ錠（以下、本スナップ錠という）について図面を参照して説明する。
図１は本スナップ錠の受け金具１の断面図であり、図２は止め金具２を示す。図示はしないが、これら受け金具１と止め金具２は水平方向の断面が円形である。受け金具１および止め金具２は、例えば衣服やベルト等（以下、衣服等という）１０に対で取り付けられ、受け金具１の錠部に止め金具２のダボ１１を嵌挿することにより係止され、同時に施錠されてロック機能が得られる。そして、磁石鍵で前記係止を開放すると、解錠されて取り外すことができる。
【００１２】
上記受け金具１は、錠部を下ケース６と上ケース７との間に組み込んで形成される。図１に示すように下ケース６は、内部に錠部を組み込むための空間部を有するドーナツ状体で、底部には先端を内側に折り曲げて止め金具２のダボを嵌挿するための透き孔が、ダボの最大径より大きい径で設けられている。
【００１３】
受け金具１の錠部は、止め金具２のダボに係止されるリングばね４と、該リングばね４を止め金具のダボに係止した状態に保持するストッパー３と、該ストッパーを付勢して施錠状態に保持するばね５とを有し、これらを下ケース６と上ケース７との間に組み込むことによって形成される。ストッパー３はキャップ状をしており、上ケース７の外側から磁石鍵の磁力が作用するように鉄、１８−８ステンレス鋼以外のステンレス鋼（磁性ステンレス鋼）などの磁性材料で形成される。特に、磁性ステンレス鋼は防錆および加工性に優れており好ましい。ストッパー３を磁性材料で形成することにより、解錠時に磁石鍵の磁力で動作させてリングばね４に対する抑止を解消し、リングばね４と止め金具２のダボ１１との係止を解放させることができる。ストッパー３は通常全体を磁性材料で形成するが、解錠時に最も磁力が作用するキャップ頂部だけを磁性材料で形成してもよいし、あるいは図１に鎖線で示すようにこの部分に磁性材１５を接着してもよい。ストッパー３が磁性材料で形成されるとは、これらを含んでいる。止め金具のダボを受け入れる空間を有し、端部でリングばね４を支承できれば、その形状は適宜変えられる。
【００１４】
リングばね４は、受け金具１を止め金具２のダボ１１に係止させるための係止部材である。本例のリングばね４は、図３に示すように線ばねを丸く曲げてリング状にしたもので、適度の弾性を持っており、受け金具１と止め金具２との着脱時に止め金具２のダボによって内側から押されると弾性変形して広がる。線ばねを曲げ加工するだけで作れるため低コストで製造でき、かつ他の係止部材に比べて簡単形状で精度が厳しくなくてもよいため、係止部材として優れている。通常は本例のように単純な円形のリングばねが使用されるが、線ばねを部分的に内側に突出部を有する波形に曲げて、該突出部で止め金具２のダボを係止する形状であってもよい。
【００１５】
また、ばね５はストッパー３を付勢して通常時はストッパー３の先端でリングばね４を位置制御し、またリングばね４が止め金具２のダボ１１に係合したときには、ストッパー３の先端でリングばね４の外側上半部を抑止し、リングばね４が止め金具２のダボ１１で押し広げられるのを阻止し施錠状態に保持する。ばね５としては、解錠時にリングばね４の外側上半部を抑止しているストッパー３を磁石鍵の磁力でばね５の弾性力に抗して動かしリングばね４を開放させるために、ストッパー３に作用する磁力より小さい弾性力のものが使用される。本例ではつる巻きばねを使用しているが、これに限定されないで、例えば板ばねやコイルばねなどを用いることもできる。
【００１６】
上記錠部を下ケース６および上ケース７に組み込むには、図１に示すように下ケース６の底部に載置されたリングばね４にストッパー３を載置してリングばね４を下ケース６の先端とストッパー３の先端とで保持する。次に、ばね６をストッパー３に下端を載せて組み込んだ後、下ケース６に上ケース７を被せて両者の縁部を重ね合わせた状態ではとめる。この場合、ストッパー３の下部を図１に示すように傾斜させ、さらにこの部分に段部を形成しておくと、この段部でばね５の下端を支持してストッパー３に付勢させやすくなり、同時にばね５の付勢によってストッパー３が受け金具１の中央に位置制御されるため好ましい。また、ストッパー３と上ケース７との間には、解錠時にストッパー３を上方に動かしてリングばね４に対する抑止を開放させるための空間２０が設けられる。
【００１７】
上記受け金具１において、ストッパー３以外の部材は非磁性材料から形成されることが好ましい。その理由は、受け金具１に磁石鍵を近接させて解錠するとき、磁力が磁性材のストッパー３に集中しストッパー３以外の部材には作用しないようにするためである。この非磁性材料としては、例えば１８−８ステンレス鋼、真鍮、亜鉛、アルミニウムなどの金属が強度、防錆、製造加工のしやすさなどの面で好ましく使用でき、なかでも真鍮が優れている。
【００１８】
また、上記受け金具１を衣服等に取り付けるには、例えば衣服等１０の受け金具１を取り付ける箇所にあらかじめ孔をあけ、該孔に裏側からはとめ８を挿入したあと、表側からはとめ８の外側に押え材９を嵌合するとともに錠部が組み込まれた受け金具１の下ケース６をはとめ８の内部に嵌合し、はとめ８の先部と下ケース６および上ケース７の縁部とを重ね合わせた状態で一緒に折り曲げてはとめる。この場合、押え材９に突起１６を設けておくと、該突起１６が衣服等に食い込んで衣服等への取り付けを強固にできる。なお、受け金具の取り付け方法は、取り付ける衣服等の種類などにより適宜選択でき限定されない。
【００１９】
次に、止め金具２について図２を参照して説明する。止め金具２は、ダボ１１とダボ止片１２とによって形成される。材質としては、例えば真鍮やステンレス鋼などの金属が用いられる。柱状に植立されたダボ１１の先端部は、受け金具１の前記リングばね４に嵌挿しやすくするために丸みを持っており、かつリングばね４に嵌挿した後にリングばね４でダボ１１を確実に係止するのに有効な段部１８を形成するために外周方向に突出している。本例においてこのようなダボ１１の先端部の形状は、止め金具２を衣服等１０に取り付けする際に形成できる。すなわち、図２に示す如く衣服等１０にあけた取付け孔にダボ止片１２のあし１７を裏側から挿通した後、表側からダボ１１を該あし１７に嵌挿して両者の先端をかしめて止め金具２を衣服等に取り付ける際に、ダボ１１の先端部を前記形状に形成する。
【００２０】
次に、本スナップ錠の施錠および解錠について説明する。図４は施錠されたスナップ錠を示す。施錠する前の受け金具１において、リングばね３は下ケース６の先端で下部を、またばね５で下方に付勢されたストッパー３の先端で外側上半部を保持される。止め金具２のダボ１１を該リングばね４の中に押し込むと、ダボ１１は先端でリングばね４を押し広げながらまたリングばね４を介してストッパー３を押し上げながら進入する。そして、ダボ１１の最大径部の進入が終ると、リングばね４は弾性力で縮小して元に戻り、それと同時にストッパー３もばね５の付勢力によって下方に押し下げられ、リングばね４の外側上半部を抑止する。これにより、図４に示すようにダボ１１の段部１８がリングばね４で係止され、かつ外側からリングばね４の外側上半部がストッパー３で抑止された状態となる。この状態でダボ１１を受け金具１から離脱させようとしても、リングばね４が押し広げられないため、ダボ１１は段部１８がリングばね４によって係止され離脱できない状態となり、受け金具１と止め金具２は施錠される。施錠されたスナップ錠は、リングばね４をストッパー３の抑止から解放させない限り離脱不可でありロック機能を有する。
【００２１】
施錠されたスナップ錠の解錠は、受け金具１に磁石鍵１３を近づける（近接）ことによって得られる。図４に示すように受け金具１に磁石鍵１３を近づけると、磁性体で形成されているストッパー３が磁石１４の磁力に引き寄せられてばね５の弾性力に抗して上方に動き、リングばね４に対する抑止を解放するため、ダボ１１でリングばね４を押し広げることが可能となり、スナップ錠は解錠される。
【００２２】
本発明において、受け金具１と止め金具２の解錠用に使用する磁石鍵１３の磁石１４は、所定の強度の磁力が得られるものであれば、永久磁石、電磁石のいずれでもよい。なかでも、永久磁石は磁石自体の構造が簡単でかつ電源を必要としないため、軽量化と小型化に適し携帯の利便性が得られる点で優れている。
【００２３】
本例の磁石鍵１３は、例えばプラスチックス製のホルダ１９に磁石１４を埋設して携帯に適した形体にしたもので、ホルダ１９は携帯に便利で使用しやすい形状に工夫される。また、磁石１４が所定の強さの磁力を持っていれば、スナップ錠の形体、大きさ、用途などに関係なく磁石鍵を共用できる。
【００２４】
本発明のスナップ錠は、受け金具１の錠部の主要部を構造的にシンプルなリングばね４とストッパー３で形成し、該ストッパー３を磁石鍵１３で直接に動作させてダボ１１に対するリングばね４の係止を解放できるので、部品数の削減によって製造しやすくかつ小型化が可能となり、耐久性にも優れている。また、確実に施錠できるとともに、磁石鍵１３により容易に解錠できる使い勝手のよいスナップ錠が得られる。
【００２５】
本発明に係るスナップ錠は、ロック機能を有する止め具として広く使用可能であり、介護用ねまきの止め具、手袋の離脱防止用の止め具、かばんやコンテナなどの止め具として使用できる。いずれの場合も施錠されたスナップ錠は、磁石鍵で解錠しない限り取り外すことができないロック機能を有している。
【産業上の利用可能性】
【００２６】
本発明に係わるスナップ錠は、磁石の磁力で解錠できる止め具として介護用ねまきの止め具、手袋の外し防止用止め具、かばんの簡易止め具などとして利用できる。
【符号の説明】
【００２７】
１：受け金具            ２：止め金具            ３：ストッパー
４：リングばね          ５：ばね                ６：下ケース
７：上ケース            ８：止めケース          ９：押え材
１０：衣服等            １１：ダボ              １２：ダボ止片
１３：磁石鍵            １４：磁石              １５：磁性材
１６：突起              １７：あし              １８：段部
１９：ホルダ
【図１】
2011234743.tif 000003
【図２】
2011234743.tif 000004
【図３】
2011234743.tif 000005
【図４】
2011234743.tif 000006